(57)【要約】【課題】テレビジョン信号の受信を行うための設定が、装置を設置した国や地域に応じて適切にできるようにする。【解決手段】受信したテレビジョン信号のアナログ放送信号の映像復調処理と、受信したテレビジョン信号のアナログ放送の音声復調処理と、受信したテレビジョン信号のデジタル放送のデータ復調処理と、受信してテレビジョン信号の受信強度の判別処理とを行う構成とし、映像復調処理で復調した映像信号に含まれるブランキング信号の解析結果と、データ復調処理で復調したデータの解析結果と、音声復調処理での復調結果とに基づいて、受信している国又は地域を判断して、その判断した受信国又は地域に応じた自動的な各種設定ができるようにした。【選択図】図２
2008028943.tif 000002
【特許請求の範囲】
【請求項１】
テレビジョン信号を受信するチューナと、
前記チューナが受信したアナログ放送の映像復調部と、
前記チューナが受信したアナログ放送の音声復調部と、
前記チューナが受信したデジタル放送のデータ復調部と、
前記チューナで受信するチャンネルを制御し、受信チャンネルをプリセット可能な選局制御部と、
前記チューナでの選局周波数ごとの受信結果と、前記映像復調部で復調した映像信号に含まれるブランキング信号の解析結果と、前記データ復調部で復調したデータの解析結果と、前記音声復調部での復調結果とに基づいて、前記チューナが受信している国又は地域を判断する判断部とを備えたことを特徴とする
テレビジョン信号受信装置。
【請求項２】
請求項１記載のテレビジョン信号受信装置において、
前記判断部で判断した結果に基づいて、前記制御部がプリセットする受信チャンネルを設定することを特徴とする
テレビジョン信号受信装置。
【請求項３】
請求項２記載のテレビジョン信号受信装置において、
前記判断部で判断した結果で、国又は地域の候補が複数存在する場合に、その複数の候補の中から、所定の入力操作でプリセットする受信チャンネルを選択できるようにしたことを特徴とする
テレビジョン信号受信装置。
【請求項４】
請求項１記載のテレビジョン信号受信装置において、
前記判断部で判断した結果に基づいて、前記チューナの受信有効周波数帯域を設定するようにしたことを特徴とする
テレビジョン信号受信装置。
【請求項５】
請求項１記載のテレビジョン信号受信装置において、
前記判断部で判断した結果に基づいて、受信又は復調する映像信号システムを決定することを特徴とする
テレビジョン信号受信装置。
【請求項６】
請求項１記載のテレビジョン信号受信装置において、
前記判断部で判断した結果に基づいて、受信又は復調する音声信号システムを決定することを特徴とする
テレビジョン信号受信装置。
【請求項７】
請求項１記載のテレビジョン信号受信装置において、
前記映像復調部又はデータ復調部で復調された映像信号を表示する表示部を備え、
前記判断部で判断した結果に基づいて、前記表示部で表示させる文字の言語を決定することを特徴とする
テレビジョン信号受信装置。
【請求項８】
請求項７記載のテレビジョン信号受信装置において、
前記判断部で判断した結果で、国又は地域の候補が複数存在する場合に、その複数の候補の中から、表示させる文字の言語を選択できるようにしたことを特徴とする
テレビジョン信号受信装置。
【請求項９】
テレビジョン信号を受信し、
受信したテレビジョン信号のアナログ放送信号の映像復調処理と、
受信したテレビジョン信号のアナログ放送の音声復調処理と、
受信したテレビジョン信号のデジタル放送のデータ復調処理と、
受信してテレビジョン信号の受信強度の判別処理とを行い、
前記映像復調処理で復調した映像信号に含まれるブランキング信号の解析結果と、前記データ復調処理で復調したデータの解析結果と、前記音声復調処理での復調結果とに基づいて、受信している国又は地域を判断することを特徴とする
テレビジョン信号受信方法。
【発明の詳細な説明】
【技術分野】
【０００１】
本発明は、複数の放送方式に対応したテレビジョン受像機に適用して好適なテレビジョン信号受信装置及び受信方法に関する。
【背景技術】
【０００２】
テレビジョン受像機をユーザが購入して使用する場合には、受信チャンネルなどのプリセットが必要である。このプリセットを行う方法は、テレビジョン受像機が使用される国や地域の実情に合わせた、様々な手法があり、テレビジョン受像機が販売される国や地域に合わせて、それぞれ別のプリセットを行うように構成してある。或いは、ユーザが手動でプリセットする場合には、そのテレビジョン受像機が使用される国や地域に合わせた説明書を添付して、そのプリセットを実行させるようにしてある。
【０００３】
特許文献１には、自動的に放送チャンネルをプリセットする手法の一例についての開示がある。
【特許文献１】特開２００３−１５８６８６号公報
【発明の開示】
【発明が解決しようとする課題】
【０００４】
ところで、テレビジョン放送を受信するテレビジョン受像機として、複数の放送方式に対応したものが存在し、使用される国や地域が特定されない機器が開発されている。このような機器で、テレビジョン受像機に予め１つの手法でチャンネルプリセットを行うように設定してあると、使用される国や地域によっては対応できないケースがある。このような場合には、購入したユーザが手動でプリセットのし直しをする必要があり、余計な手間がかかってしまう問題がある。
【０００５】
また、テレビジョン受像機が使用される国や地域によっては、チューナなどの内部の処理部での信号処理状態を変更する必要がある。例えば、チューナでの受信周波数帯域や、表示パネルでの各種案内表示の表示言語設定などが必要であるが、そのような設定についても、従来、自動的に最適に行うのは困難であった。
【０００６】
なお、ここまでの説明では、テレビジョン受像機の場合の問題について説明したが、その他のテレビジョン放送を受信する機器（テレビジョン信号受信装置）についても、同様の問題がある。例えば、テレビジョン信号を受信するチューナを内蔵したビデオ録画装置での、チューナのプリセットなどについて、同様の問題がある。
【０００７】
本発明はかかる点に鑑みてなされたものであり、テレビジョン信号の受信を行うための設定が、装置を設置した国や地域に応じて適切にできるようにすることを目的とする。
【課題を解決するための手段】
【０００８】
本発明は、テレビジョン信号を受信し、受信したテレビジョン信号のアナログ放送信号の映像復調処理と、受信したテレビジョン信号のアナログ放送の音声復調処理と、受信したテレビジョン信号のデジタル放送のデータ復調処理と、受信してテレビジョン信号の受信強度の判別処理とを行う構成とし、映像復調処理で復調した映像信号に含まれるブランキング信号の解析結果と、データ復調処理で復調したデータの解析結果と、音声復調処理での復調結果とに基づいて、受信している国又は地域を判断するものである。
【０００９】
このようにしたことで、受信したテレビジョン信号の状態を解析した結果から、受信している国や地域が判断できるようになり、その判断した国や地域に応じたプリセットなどの設定が可能となる。
【発明の効果】
【００１０】
本発明によると、受信したテレビジョン信号の状態を解析した結果から、受信している国や地域が判断できるようになり、その判断した国や地域に応じたプリセットなどの設定が可能となり、複数の放送方式に対応した機器であっても、使用する国や地域に合わせた自動的な地域設定が可能となる。
【発明を実施するための最良の形態】
【００１１】
以下、本発明の一実施の形態を、添付図面を参照して説明する。
【００１２】
本実施の形態においては、テレビジョン受像機に適用したものである。図１は、本例のテレビジョン受像機１０の構成例を示した図である。テレビジョン受像機１０は、アンテナ１からの信号線（アンテナ線）が接続されるアンテナ接続端子１１を備え、アンテナ接続端子１１に得られる信号をチューナ１２に供給して、制御部２２から指示された同調周波数（チャンネル）の受信を行う。ここでの受信とは、同調周波数で伝送された信号を、中間周波信号又はベースバンド信号とする受信処理である。受信して得たテレビジョン信号は、アナログ放送映像復調部１３とアナログ放送音声復調部１４とデジタル放送データ復調部１５と電界強度判別部１６とに供給する。
【００１３】
アナログ放送映像復調部１３では、チューナ１２が受信したテレビジョン信号がアナログ放送信号である場合に、そのアナログ放送信号の映像信号を復調して、復調された映像信号を得る。復調された映像信号は、映像信号処理部１８に供給して、映像を表示させるために必要な処理を行い、処理された映像信号を表示パネル２３に供給して表示させる。映像表示に必要なブランキング信号処理については、ブランキング信号処理部１９で行う。ブランキング信号処理部１９では、ブランキング信号そのものやブランキング期間に付加されたデータの解析についても行う。
【００１４】
アナログ放送音声復調部１４では、チューナ１２が受信したテレビジョン信号がアナログ放送信号である場合に、そのアナログ放送信号の音声信号を復調して、復調された音声信号を得る。復調された音声信号は、音声信号処理部１７に供給して、ステレオ処理や主音声・副音声切替え処理、増幅処理などを行い、処理された音声信号をスピーカ２４，２５に供給して出力させる。
【００１５】
デジタル放送データ復調部１５は、チューナ１２が受信したテレビジョン信号がデジタル放送信号である場合に、そのデジタル放送信号としてのデータの復調処理を行う。ここでの復調されるデータには、映像データや音声データなどのメインのデータの他に、補助的な各種付加データも含まれる。復調された映像データは映像信号処理部１８に供給して、表示パネル２３で表示させるための処理を行う。復調された音声データは音声信号処理部１７に供給して、音声出力させるための処理を行う。
【００１６】
電界強度判別部１６は、チューナ１２で受信したテレビジョン信号の受信電界強度を判別する。判別結果は、制御部２１に供給する。制御部２１には、メモリ２２が接続してあり、判別結果などを記憶する。メモリ２２は、この判別結果や後述する各種情報を記憶する。また、記憶した情報に基づいて、判別を行うソフトウェアについても記憶させてあり、さらにチューナ１２で選局するチャンネルなどのプリセットの設定を行うソフトウェアについても記憶させてあり、これらのソフトウェアを制御部２１で実行させて、該当する制御処理を行う。また、ユーザが操作するキー２６を備えて、そのキー２６の操作情報の制御部２１への供給で、モードなどの各種設定ができる構成としてある。
【００１７】
また、制御部２１に供給される受信電界強度以外の情報について説明すると、アナログ放送映像復調部１３で復調したアナログ音声変調周波数情報と、輝度信号周波数情報と、色信号周波数情報と、色信号方式情報と、輝度信号極性情報とを制御部２１が取得して、メモリ２２に記憶させる。
また、アナログ放送音声復調部１７から、アナログ音声多重方式情報と、デジタル音声変調周波数情報と、音声変調方式情報とを制御部２１が取得して、メモリ２２に記憶させる。
また、デジタル放送データ復調部２０で復調したデータを、デジタル信号処理部２０で解析した結果から、デジタル放送システム判別情報を制御部２１が取得して、メモリ２２に記憶させる。
また、ブランキング信号処理部１９でブランキング信号情報を解析した結果を制御部２１が取得して、メモリ２２に記憶させる。
【００１８】
これらの記憶情報に基づいて、そして、メモリ２２にあらかじめ用意された情報判別用ソフトウェアを制御部２１で実行し、メモリ２２に記憶された各情報に基づいて、受信中の国又は地域を決定し、その決定した国又は地域をもとに、国及び地域のチャンネルプリセット手順を特定する。
【００１９】
また、このテレビジョン受像機１０の表示パネル２３には、制御部２１の制御で各種案内表示を行うようにしてあり、その案内表示時に使用する文字の言語（日本語、英語など）についても、上述したように決定した国又は地域の情報を使用して、制御部２１が自動的に選定するようにしてある。特定された国や地域の情報と、チャンネルプリセット手順、及びその手順でプリセットされたチャンネルに関する情報についても、メモリ２２に記憶させるようにしてある。なお、候補となる国や地域（及びその国又は地域で使用される言語）が複数存在する場合には、この候補の中の優先順位を特定すると共に、キー２６の操作などでユーザに候補の中から選択させる。
【００２０】
次に、制御部２１の制御で実行される、国又は地域を選択する処理例を、図２のフローチャートを参照して説明する。
まず、制御部２１は、チューナ１２に同調周波数を設定する（ステップＳ１１）。そしてその同調周波数をメモリ２２に記憶させる（ステップＳ１９）。また、電界強度をメモリ２２に記憶させる（ステップＳ１８）。さらに、映像信号の解析を行い（ステップＳ１２）、音声信号の解析を行い（ステップＳ１４）、デジタル放送データの解析を行い（ステップＳ１６）、それぞれの解析結果の記憶を行い（ステップＳ１３，Ｓ１５，Ｓ１７）、記憶した情報の組み合わせを、それぞれの情報の状態から決定し（ステップＳ２０）、このテレビジョン受像機１０が設置された国又は地域を特定する選択処理を行い（ステップＳ２１）、選択処理で特定された国又は地域を元にして、チャンネルプリセット方法を選択し決定する（ステップＳ２２）。なお、ステップＳ２１で候補となる国又は地域が複数存在する場合には、その候補を表示パネル２３に表示させて、そのキー２６のユーザ操作で選択させるようにする。また、ステップＳ１１の同調周波数の設定は、チューナ１２で受信可能なほぼ全ての周波数帯域について実行する。
【００２１】
図３は、図２のフローチャートのステップＳ１２での映像信号の解析処理の一例を示したものである。映像信号の解析を開始すると（ステップＳ３１）、輝度信号周波数の判別を行い（ステップＳ３２）、走査線数と垂直周波数から５２５ライン／６０Ｈｚの信号と、６２５ライン／５０Ｈｚの信号とに分岐する。５２５ライン／６０Ｈｚの信号と判別した場合に、色信号周波数の判別を行い（ステップＳ３３）、ＮＴＳＣ方式かＰＡＬ／Ｍ方式かの判別を行う。ここで、ＮＴＳＣ方式であると判別した場合には、ブランキング情報解析判別を行い（ステップＳ３５）、分岐条件により映像系解析結果Ｖ１を得る（ステップＳ４０）。
【００２２】
ステップＳ３２で６２５ライン／５０Ｈｚの信号と判別した場合には、色信号周波数の判別を行い（ステップＳ３４）、ＰＡＬ−Ｎ方式かＰＡＬ／ＳＥＣＡＭ方式かの判別を行う。この色信号周波数判別でＰＡＬ／ＳＥＣＡＭ方式であった場合、色信号方式の判別を行い（ステップＳ３６）、ＰＡＬ方式とＳＥＣＡＭ方式の分岐を行う。ＰＡＬ方式である場合には、ブランキング情報の解析（ステップＳ３７）から、映像系解析結果Ｖ２を得る（ステップＳ４１）。ＳＥＣＡＭ方式であった場合、輝度信号の極性を判別し（ステップＳ３８）、正極性であった場合、ブランキング情報解析判別を行い（ステップＳ３９）、条件により映像系解析結果Ｖ３を得る（ステップＳ４２）。
【００２３】
図４は、図２のフローチャートのステップＳ１４での音声信号の解析処理の一例を示したものである。音声信号の解析を開始すると（ステップＳ５１）、アナログ音声解析とデジタル音声解析の両方の解析結果を得ることができる。ここでのデジタル音声とは、アナログ放送信号に付加されたデジタル音声信号の解析である。
アナログ音声解析としては、アナログ音声の変調周波数を判別し（ステップＳ５２）、４．５ＭＨｚであった場合は音声多重方式の判別を行う（ステップＳ５４）。その判別結果から、音声系解析結果のアナログ音声の解析結果ＡＡ１を得る。ステップＳ５２での変調周波数の判別で、６．５ＭＨｚの分岐の場合音声変調方式を判別し（ステップＳ５５）、ＦＭ変調であった場合は、次に音声多重方式の判別を行う（ステップＳ５６）。ステップＳ５６での音声多重方式の判別結果から音声系解析結果のアナログ音声の解析結果ＡＡ２を得る。欧州などではアナログ放送にデジタル音声が含まれているので、デジタル音声の変調周波数の判別を行う（ステップＳ５３）。変調周波数が５．８５ＭＨｚの場合は、デジタル音声の解析結果ＡＤ１を得る（ステップＳ５９）。デジタル音声を検出できなかった場合は、Ｓデジタル音声の解析結果ＡＤ２を得る（ステップＳ６０）。
【００２４】
図５は、図２のフローチャートのステップＳ１６でのデジタル放送の解析処理の一例を示したものである。デジタル放送の解析を開始すると（ステップＳ６１）、デジタル放送のシステム判別を行い（ステップＳ６２）、日本のデジタル放送方式ならデジタル放送の解析結果Ｄ１を得る（ステップＳ６３）。複数の国で用いられているデジタル放送システムであった場合は、デジタル放送の情報を解析判別して（ステップＳ６４）、デジタル放送の解析結果Ｄ２を得る。またデジタル放送を検出したが未知のシステムであった場合は、デジタル放送の解析結果Ｄ３を得る（ステップＳ６５）。
【００２５】
次に、これらの解析処理を適用した、テレビジョン受像機１０でのチャンネルプリセットが実行される際の処理例を、図６のフローチャートを参照して説明する。まず、テレビジョン受像機１０の電源が投入されると（ステップＳ７１）、制御部２１はチャンネルサーチを行うか否か判断する（ステップＳ７２）。ここでのサーチの実行の有無の判断としては、例えば既にチャンネルがプリセットされているか否かの判断などで行う。サーチを行うと判断した場合には（ステップＳ７３）、サーチと言語判別を実行し（ステップＳ７４）、表示言語が決定しているか否か判断し（ステップＳ７５）、決定している場合には（ステップＳ７６）、その決定している言語の文字でサーチ処理中であることを表示させる（ステップＳ７７）。図６の例では、英語で「Ｓｅａｒｃｈｉｎｇ」と表示させ、サーチ処理の実行状況をパーセント表示させた表示例を示している。また、言語が決定していない場合には（ステップＳ７８）、文字を使用しないでサーチ処理中であることを表示させる（ステップＳ７９）。図６の例では、サーチ処理の実行状況をパーセント表示させた表示例を示している。
【００２６】
その後、サーチが完了したか否か判断し（ステップＳ８０）、完了していない場合には（ステップＳ８１）、サーチが完了するまで繰り返し（ステップＳ８２）、ステップＳ７４から繰り返す。ステップＳ８０でサーチが完了したと判断した場合（ステップＳ８３）には、ユーザによるプリセットの選択が必要か否か判断し（ステップＳ８４）、選択が必要である場合に（ステップＳ８５）、国又は地域の選択画面表示（ステップＳ８６）を行い、選択結果に基づいて、その国又は地域のデータとして記憶されたデータを利用して、プリセットチャンネルを決定する（ステップＳ８８）。選択が必要でない場合（ステップＳ８７）には、そのまま、記憶データに基づいてプリセットチャンネルを決定する。なお、チューナでの受信周波数帯域など、国や地域により信号処理を変更する必要がある場合には、その変更の設定についても行う。
【００２７】
このプリセット処理を完了する（ステップＳ９０）と、プリセットされたチャンネルの中から選ばれたチャンネルのテレビジョン放送の受信映像の表示が行われる（ステップＳ９１）。ステップＳ７２でサーチを実行しない場合（ステップＳ８９）にも、ステップＳ９１のテレビジョン放送の受信映像の表示に移る。
【００２８】
次に、各解析処理に基づいて、国や地域が選択される具体的な組み合わせの例を、表１〜表１２に示す。
表１は、チューナでの同調周波数から、判別される国の例を示したものである。
【００２９】
【表１】
2008028943.tif 000003
【００３０】
表２は、アナログ音声変調周波数から判別される国の例を示したものである。
【００３１】
【表２】
2008028943.tif 000004
【００３２】
表３は、アナログ音声多重方式から判別される国の例を示したものである。
【００３３】
【表３】
2008028943.tif 000005
【００３４】
表４は、デジタル音声変調方式から判別される国の例を示したものである。
【００３５】
【表４】
2008028943.tif 000006
【００３６】
表５は、映像変調方式から判別される国の例を示したものである。
【００３７】
【表５】
2008028943.tif 000007
【００３８】
表６は、輝度信号周波数から判別される国の例を示したものである。
【００３９】
【表６】
2008028943.tif 000008
【００４０】
表７は、色信号周波数から判別される国の例を示したものである。
【００４１】
【表７】
2008028943.tif 000009
【００４２】
表８は、色信号方式から判別される国の例を示したものである。
【００４３】
【表８】
2008028943.tif 000010
【００４４】
表９は、輝度信号極性から判別される国の例を示したものである。
【００４５】
【表９】
2008028943.tif 000011
【００４６】
表１０は、ブランキング信号極情報から判別される国の例を示したものである。この例では、テレテキスト方式で情報がブランキング期間に付加されている方式と、２１Ｈ方式で情報がブランキング期間に付加されている方式とを区別する例である。
【００４７】
【表１０】
2008028943.tif 000012
【００４８】
表１１は、デジタル放送システムから判別される国の例を示したものである。
【００４９】
【表１１】
2008028943.tif 000013
【００５０】
表１２は、デジタル放送に付加されたデータから判別される国の例を示したものである。
【００５１】
【表１２】
2008028943.tif 000014
【００５２】
これらの組み合わせから、国や地域を特定することができる。
次に、図７〜図１１で、解析結果からプリセットチャンネルを決める例を示す。
図７に示した例１では４つの同調周波数の解析結果から求めた国判別結果が韓国として求められるので、韓国用チャンネルプリセットを下記のとおり行う。
Program  9    187.25MHz
Program  16    483.25MHz
Program  75    837.25MHz
Program  82    879.25MHz
【００５３】
図８に示した例２では、３つの同調周波数の解析結果から求めた国判別結果が、米国（ＵＳＡ）として求められるので、米国用チャンネルプリセットを下記のとおり行う。
Program  28    555.25MHz
Program  57    729.25MHz
Program  82    879.25MHz
【００５４】
図９に示した例３では、３つの同調周波数の解析結果から求めた国判別結果が、米国（ＵＳＡ）として求められるので、米国用チャンネルプリセットを下記のとおり行う。
Program  1    335.25MHz
Program  2    495.25MHz
Program  3    623.25MHz
Program  4    735.25MHz
Program  5    807.25MHz
【００５５】
図１０に示した例４では、３つの同調周波数の解析結果から求めた国判別結果がイギリスとして求められるので、イギリス用チャンネルプリセットを下記のとおり行う。
Program  1    631.25MHz
Program  2    519.25MHz
Program  5    567.25MHz
【００５６】
図１１に示した例５では、総受信局の電界強度順で、上位８割を有効として扱い、その結果、候補がオランダとフランスとルクセンブルグになった場合の例であり、その候補を表示させてユーザに選択させる。図１１では、それぞれの国を選択した場合の同調周波数の例を示してある。
【００５７】
このように本実施の形態の処理構成とすることで、テレビジョン受像機の受信チャンネルのプリセットを、いずれの国や地域の場合でも自動的に正しく行うことができる。
【００５８】
なお、ここまで説明した例では、テレビジョン受像機として構成させた場合の例としたが、ビデオ録画装置などのチューナを備えたその他のテレビジョン受信装置にも適用可能である。また、各フローチャートなどで説明した処理方法をプログラム化して、そのプログラムを、パーソナルコンピュータ装置などに接続してテレビジョン放送を受信するチューナの制御プログラムとして実装させて、同様のプリセットなどが行えるようにしてもよい。
【図面の簡単な説明】
【００５９】
【図１】本発明の一実施の形態による全体構成例を示すブロック図である。
【図２】本発明の一実施の形態による選択処理例を示すフローチャートである。
【図３】本発明の一実施の形態による映像解析処理例を示すフローチャートである。
【図４】本発明の一実施の形態による音声解析処理例を示すフローチャートである。
【図５】本発明の一実施の形態によるデジタル放送解析処理例を示すフローチャートである。
【図６】本発明の一実施の形態によるプリセット処理例を示すフローチャートである。
【図７】本発明の一実施の形態によるプリセット例（例１）を示す説明図である。
【図８】本発明の一実施の形態によるプリセット例（例２）を示す説明図である。
【図９】本発明の一実施の形態によるプリセット例（例３）を示す説明図である。
【図１０】本発明の一実施の形態によるプリセット例（例４）を示す説明図である。
【図１１】本発明の一実施の形態によるプリセット例（例５）を示す説明図である。
【符号の説明】
【００６０】
１…アンテナ、１０…テレビジョン受像機、１１…アンテナ接続端子、１２…チューナ、１３…アナログ放送映像復調部、１４…アナログ放送音声復調部、１５…デジタル放送データ復調部、１６…電界強度判別部、１７…音声信号処理部、１８…映像信号処理部、１９…ブランキング信号処理部、２０…デジタル信号処理部、２１…制御部、２２…メモリ、２３…表示パネル、２４，２５…スピーカ、２６…キー
【図１】
2008028943.tif 000015
【図２】
2008028943.tif 000016
【図３】
2008028943.tif 000017
【図４】
2008028943.tif 000018
【図５】
2008028943.tif 000019
【図６】
2008028943.tif 000020
【図７】
2008028943.tif 000021
【図８】
2008028943.tif 000022
【図９】
2008028943.tif 000023
【図１０】
2008028943.tif 000024
【図１１】
2008028943.tif 000025